(57)【特許請求の範囲】
【請求項１】
基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離するシート剥離装置であって、
前記原反を繰り出す繰出手段と、
繰り出された前記原反における接着シートの少なくとも繰り出し方向先端側の前記封止材による封止性を解除する封止解除手段と、
封止性が解除された前記接着シートを前記剥離シートから剥離する剥離手段とを備えることを特徴とするシート剥離装置。
【請求項２】
前記封止解除手段は、前記封止材を除去する除去手段を有して構成されることを特徴とする請求項１に記載のシート剥離装置。
【請求項３】
前記封止解除手段は、前記封止材を断続的に叩く打撃手段を有して構成されることを特徴とする請求項１に記載のシート剥離装置。
【請求項４】
前記封止解除手段は、前記封止材に振動を与える振動手段を有して構成されることを特徴とする請求項１に記載のシート剥離装置。
【請求項５】
前記封止解除手段は、前記封止材を加熱して溶融する加熱手段を有して構成されることを特徴とする請求項１に記載のシート剥離装置。
【請求項６】
基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離するシート剥離方法であって、
前記原反を繰り出し、繰り出された前記原反における接着シートの少なくとも繰り出し方向先端側の前記封止材による封止性を解除し、封止性が解除された前記接着シートを前記剥離シートから剥離することを特徴とするシート剥離方法。
【請求項７】
基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離し、剥離した接着シートを被着体に貼付するシート貼付装置であって、
前記原反を繰り出す繰出手段と、
繰り出された前記原反における接着シートの少なくとも繰り出し方向先端側の前記封止材による封止性を解除する封止解除手段と、
封止性が解除された前記接着シートを前記剥離シートから剥離する剥離手段と、
前記剥離した接着シートを前記被着体に押圧して貼付する押圧手段とを備えることを特徴とするシート貼付装置。
【発明の詳細な説明】
【技術分野】
【０００１】
本発明は、シート剥離装置および剥離方法、ならびにシート貼付装置に関する。
【背景技術】
【０００２】
従来、剥離シートに接着剤を介してラベル等の接着シートが仮着された帯状の原反から接着シートを剥離する剥離装置が知られている（例えば、特許文献１参照）。
この剥離装置は帯状台紙（剥離シート）の一方に仮着されたラベル（接着シート）を有するラベル連続体（原反）を巻回して支持する供給リールと、接着シートに印字を施す印字部と、印字された接着シートを剥離シートから剥離して排出する剥離部と、剥離シートを巻き取る台紙巻取りリールとを備える。そこで、印字した接着シートの先端が剥離位置を通過するまで搬送したら、原反の搬送を一旦停止させて再び搬送するように構成されている。
【先行技術文献】
【特許文献】
【０００３】
【特許文献１】特開２００２−３２６６１６号公報
【発明の概要】
【発明が解決しようとする課題】
【０００４】
ところで、特許文献１に記載の剥離装置で剥離される接着シートは、所定間隔で剥離シートに接着剤を介して仮着されているが、当該接着剤の流動性が高いと接着シートの外部に漏れ出るおそれがある。このように接着剤が漏れ出ると、巻回して支持されている原反から漏れ出た接着剤によって、接着シートが当該接着シートの上方に巻回される剥離シートの裏面に接着してしまい、原反をスムーズに繰り出せなかったり、接着シートを剥離部で剥離できなかったりするとうい不都合を発生する。
このような封止材で封止された接着シートを剥離シートから剥離させる場合には、前述したような従来の剥離装置を用いたとしても、接着シートを剥離シートから確実に剥離することができず、繰り出しおよび引き戻しを繰り返すこととなり効率低下を招いたり、接着シートの貼付漏れを招いたりするという問題がある。
【０００５】
本発明の目的は、接着シートの端縁が封止材で封止された場合であっても、接着シートを剥離シートから確実に剥離することができるシート剥離装置および剥離方法、ならびにシート貼付装置を提供することにある。
【課題を解決するための手段】
【０００６】
前記目的を達成するため、基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離するシート剥離装置であって、前記原反を繰り出す繰出手段と、繰り出された前記原反における接着シートの少なくとも繰り出し方向先端側の前記封止材による封止性を解除する封止解除手段と、封止性が解除された前記接着シートを前記剥離シートから剥離する剥離手段とを備えることを特徴とする。
【０００７】
本発明のシート剥離装置において、前記封止解除手段は、前記封止材を除去する除去手段を有して構成されることが好ましい。
また、本発明のシート剥離装置において、前記封止解除去手段は、前記封止材を断続的に叩く打撃手段を有して構成されることが好ましい。
さらに、本発明のシート剥離装置において、前記封止解除手段は、前記封止材に振動を与える振動手段を有して構成されることが好ましい。
また、本発明のシート剥離装置において、前記封止解除手段は、前記封止材を加熱して溶融する加熱手段を有して構成されることが好ましい。
【０００８】
本発明のシート剥離方法は、基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離するシート剥離方法であって、前記原反を繰り出し、繰り出された前記原反における接着シートの少なくとも繰り出し方向先端側の前記封止材による封止性を解除し、封止性が解除された前記接着シートを前記剥離シートから剥離することを特徴とする。
【０００９】
一方、本発明のシート貼付装置は、基材シートの一方の面に接着剤層を有する接着シートが当該接着剤層を介して帯状の剥離シートに仮着されるとともに、前記接着シートの端縁に前記接着剤層から接着剤の漏出を防止する封止材が設けられた原反から前記接着シートを剥離し、剥離した接着シートを被着体に貼付するシート貼付装置であって、前記原反を繰り出す繰出手段と、繰り出された前記原反における接着シートの少なくとも繰り出し方向先端側の前記封止材による封止性を解除する封止解除手段と、封止性が解除された前記接着シートを前記剥離シートから剥離する剥離手段と、前記剥離した接着シートを前記被着体に押圧して貼付する押圧手段とを備えることを特徴とする。
【発明の効果】
【００１０】
以上のような本発明によれば、除去手段、打撃手段、振動手段、または加熱手段を有して構成される封止解除手段を備えるので、封止解除手段は、接着シートの端縁に封止材が設けられた原反の封止性を積極的に解除するので、簡単に剥離シートから接着シートを剥離できるようになる。従って、繰り出しおよび引き戻しを繰り返すことなく、剥離シートから接着シートを確実に剥離することができる。
【図面の簡単な説明】
【００１１】
【図１】本発明の第１実施形態に係るシート貼付装置の側面図。
【図２】図１のシート貼付装置の部分斜視図。
【図３】本発明の第２実施形態に係るシート貼付装置の側面図。
【図４】本発明の変形例に係るシート貼付装置の部分側面図。
【発明を実施するための形態】
【００１２】
以下、本発明の各実施形態を図面に基づいて説明する。
なお、各実施形態における明示のない例えば、上、下、左、右という方向を示す表現は、全て図１を基準に用いられている。また、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１３】
〔第１実施形態〕
図１および図２に示すように、本実施形態のシート貼付装置１は、帯状の剥離シートＲＬの一方の面に仮着された接着シートＳを剥離シートＲＬから剥離するするとともに、剥離した接着シートＳを被着体Ｗに貼付するものである。ここで、接着シートＳは、基材シートＢＳの一方の面に接着剤層ＡＤが設けられ、所定サイズの外形に予め切断されており、剥離シートＲＬに所定間隔で接着剤層ＡＤを介して仮着された原反Ｒとして予め準備されている。また、接着剤層ＡＤの接着剤が接着シートＳの外部に漏出することを防止するために、封止材Ｖが各接着シートＳの互いに対向する側の各端縁を被覆するように設けられ、接着剤層ＡＤを封止している。本実施形態の場合、接着剤層ＡＤの繰出方向に直交する幅は、図２に示すように、基材シートＢＳのそれよりも狭幅に設定されているので、接着シートＳの両サイドには封止材Ｖが設けられていない。なお、封止材Ｖとしては、例えば、ニスや皮膜樹脂などが用いられる。
【００１４】
シート貼付装置１は、原反Ｒの剥離シートＲＬから接着シートＳを剥離するシート剥離装置２と、剥離した接着シートＳを被着体Ｗに押圧して貼付する押圧手段３とを備える。
シート剥離装置２は、原反Ｒを繰り出す繰出手段４と、繰り出された原反Ｒにおける接着シートＳの少なくとも繰り出し方向先端側の封止材Ｖによる封止性を解除する封止解除手段５と、繰り出された原反Ｒの剥離シートＲＬを折り返すことで当該剥離シートＲＬから接着シートＳを剥離する剥離手段としての剥離板６とを備える。
【００１５】
押圧手段３は、図示しない複数の吸引口を有して当該吸引口によって基材シートＢＳ側から接着シートＳを吸引支持する吸着盤３１と、図示しないフレームに支持された駆動機器としての直動モータ３２と、この直動モータ３２のスライダ３３に設けられ、その出力軸３５が吸着盤３１の上面部に固定された駆動機器としての直動モータ３４とを備える。
【００１６】
繰出手段４は、その全体がフレーム７に支持されている。この繰出手段４は、剥離シートＲＬに仮着された接着シートＳをロール状に巻回して支持する支持ローラ４１と、原反Ｒを案内する複数のガイドローラ４２，４３と、接着シートＳが剥離された剥離シートＲＬを案内するガイドローラ４４と、駆動機器としての回動モータ４５によって駆動する駆動ローラ４６と、駆動ローラ４６との間に剥離シートＲＬを挟み込むピンチローラ４７と、図示しない駆動機器によって剥離シートＲＬを回収する回収ローラ４８とを備える。
【００１７】
封止解除手段５は、支持ローラ４１と剥離板６との間に位置してフレーム７に支持され、駆動機器としての回動モータ５１と、原反Ｒの接着シートＳ側に配置され、回動モータ５１によって駆動される除去手段としてのブラシローラ５２と、原反Ｒの剥離シートＲＬ側に配置された受け板５８とを備える。ブラシローラ５２は、受け板５８の延出方向（図１中上下方向）に移動可能に設けられ、受け板５８との間に封止材Ｖを挟み込み、原反Ｒから封止材Ｖを掻き落とすことで封止材Ｖによる封止性を解除するように構成されている。なお、ブラシローラ５２は、本実施形態では樹脂製で構成されているが、封止材Ｖの材質に応じて封止材Ｖを掻き落とすことができる材質を適宜用いてもよい。また、ブラシローラ５２の上方には、掻き落とした封止材Ｖを吸引して回収する回収手段５４が設けられている。
【００１８】
剥離板６は、原反Ｒを剥離シートＲＬ側から案内するガイド面６１と、原反Ｒの繰り出し方向下流側に折曲端縁６２とを備え、封止解除手段５を通過して封止性が解除された剥離シートＲＬを折曲端縁６２で駆動ローラ４６に向かって折り曲げることで、接着シートＳを剥離シートＲＬから剥離するようになっている。
【００１９】
以上のシート貼付装置１において、剥離シートＲＬから接着シートＳを剥離するとともに、剥離した接着シートＳを被着体Ｗに貼付する手順について説明する。
先ず、図１に示すように、原反Ｒをシート貼付装置１に通紙する。このとき、剥離板６上に位置する先頭の接着シートＳの繰り出し方向先端側が折曲端縁６２の近傍所定位置に配置されたときに、後方に位置する接着シートＳの繰り出し方向先端側の封止材Ｖ上にブラシローラ５２が位置するようにセットしておく。
原反Ｒを繰り出すと、接着シートＳが図示しないセンサ等により検出され、当該接着シートＳの仮着ピッチに合わせて間欠送りが開始される。そして、原反Ｒの繰出動作の停止中に封止解除手段５は、回動モータ５１を駆動し、ブラシローラ５２を図１中Ａで示す方向に駆動させる。これにより、封止材Ｖが原反Ｒから掻き落とされ、接着シートＳの繰り出し方向先端側が封止材Ｖによる封止性が解除され、掻き落とされた封止材Ｖは、回収手段５４によって吸引されて回収される。所定時間経過後、ブラシローラ５２の回転を停止し、原反Ｒの繰り出し動作を再開させる。
【００２０】
その後も原反Ｒの繰り出しを続行すると、封止性が解除された接着シートＳは、剥離板６のガイド面６１に沿って繰り出し方向に案内される。そして、封止性が解除された接着シートＳの繰り出し方向先端側が折曲端縁６２の近傍所定位置に達すると、図１の実線で示すように、原反Ｒの繰り出し動作が一旦停止される。このとき、封止解除手段５は、上記と同様にして、次にブラシローラ５２に対面する封止材Ｖを掻き落とし、スタンバイ状態となる。
【００２１】
次いで、被着体Ｗがコンベア等の搬送路ＣＶで搬送されてくると、図示しないセンサによって検知されて、剥離板６前方の下方所定位置で停止する。被着体Ｗが停止したことが確認されると、シート貼付装置１は、吸着盤３１の図示しない吸引口で吸引を行いつつ、上記同様に回動モータ４５で原反Ｒに張力を付与しながら接着シートＳを繰り出す。これにより、剥離シートＲＬは折曲端縁６２で駆動ローラ４６に向かって折り曲げられる。このとき、接着シートＳは、封止性が解除されているため、剥離シートＲＬから簡単に剥離され、折曲端縁６２を通り過ぎた時点で剥離シートＲＬから確実に剥離されて吸着盤３１の吸引によって吸着保持される。
【００２２】
この際、押圧手段３は、図１中二点鎖線で示すように、吸着盤３１が接着シートＳを吸着保持した状態で、直動モータ３２を駆動して、原反Ｒの繰り出し方向と同じ方向であって、原反Ｒの繰出速度と同じ速度で吸着盤３１を移動させるため、剥離シートＲＬから剥離されるまで接着シートＳが吸着盤３１で保持され続け、これにより接着シートＳがより確実に剥離されるようになる。このとき、次の接着シートＳの繰り出し方向先端側が折曲端縁６２近傍所定位置に達すると、原反Ｒの繰り出し動作が停止され、封止解除手段５が上記同様にして、次にブラシローラ５２に対面する封止材Ｖを掻き落とし、回収手段５４が封止材Ｖを回収する。
【００２３】
そして、吸着盤３１が、図１中二点鎖線で示すように、被着体Ｗ上の所定位置まで移動すると、直動モータ３４が吸着盤３１を下方に向かって下降させ、接着シートＳの接着面を被着体Ｗに当接させて、接着シートＳを被着体Ｗに押圧して貼付する。
以上のようにして接着シートＳを被着体Ｗに貼付したら、シート貼付装置１は、吸着盤３１による接着シートＳの吸着保持を解除してから、直動モータ３４によって吸着盤３１を上昇させるとともに、各部を初期位置に復帰させる。これにより、剥離された接着シートＳの被着体Ｗへの貼付が完了する。このようにして接着シートＳが被着体Ｗに貼付されると、図１に示す待機状態となり、次に搬送されてくる被着体Ｗに対して上述の動作を繰り返す。
【００２４】
以上のような本実施形態によれば、次のような効果がある。
すなわち、封止解除手段５のブラシローラ５２により、接着シートＳの端縁に封止材Ｖが設けられた原反Ｒから封止材Ｖによる封止性を積極的に解除するので、簡単に剥離シートＲＬから接着シートＳを剥離できるようになる。従って、剥離シートＲＬから接着シートＳを確実に剥離することができる。また、削り取られた封止材Ｖが回収手段５４によって回収されるので、封止材Ｖが撒き散らされることを防止できる。
【００２５】
〔第２実施形態〕
次に、本発明の第２実施形態を図３に基づいて説明する。
本実施形態のシート貼付装置１Ａは、押圧手段として押圧手段３にかえて押圧ローラ８を備える点で前記第１実施形態と相違する。
すなわち、本実施形態のシート貼付装置１Ａは、シート剥離装置２と、押圧ローラ８とを備え、シート剥離装置２は、繰出手段４と、封止解除手段５と、剥離板６とを備える。また、押圧ローラ８は、ゴムや樹脂等の弾性変形可能な部材で構成され、図示しないフレームに回転自在に支持されている。
【００２６】
以上のシート貼付装置１Ａにおいて、搬送路ＣＶ上の被着体Ｗが剥離板６の下方の所定位置に達したことが図示しないセンサによって検知されると、シート貼付装置１Ａは、上記同様に回動モータ４５を駆動して駆動ローラ４６を回転させ、搬送路ＣＶの動きに同期して原反Ｒを繰り出す。これにより、剥離シートＲＬは折曲端縁６２で駆動ローラ４６に向かって折り曲げられる。このとき、接着シートＳは、封止性が解除されているため、剥離シートＲＬから簡単に剥離される。そして、剥離された接着シートＳは、押圧ローラ８によって被着体Ｗの上面に押圧されて被着体Ｗに貼付される。
【００２７】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００２８】
前記第１実施形態では、本発明の除去手段として、ブラシローラ５２を例示したが、封止性を解除可能な構成であればよく、スクレーパー等を採用してもよい。
前記各実施形態では、封止解除手段５として、回動モータ５１およびブラシローラ５２を備える構成を例示したが、本発明の封止解除手段として、図４に示すような構成を採用してもよい。
【００２９】
図４（Ａ）に示す封止解除手段５Ａは、支持ローラ４１とガイドローラ４２との間に位置して設けられ、封止材Ｖを叩く単数又は複数の棒状の打撃手段５３と、原反Ｒを剥離シートＲＬ側から支持する支持手段５４とを備え、図示しない駆動機器で打撃手段５３を上下方向に駆動するように構成される。すなわち、繰り出された原反Ｒの封止材Ｖが所定位置で一旦停止すると、封止解除手段５Ａは、駆動機器を介して、打撃手段５３を上下に駆動させることで、打撃手段５３と受け板５８との間に繰り出された原反Ｒの封止材Ｖを断続的に叩いて割ることで、封止材Ｖによる封止性を解除する。なお、本発明の打撃手段としては、適宜な部材を用いて封止材Ｖを叩いて割るものであれば足りる。
【００３０】
図４（Ｂ）に示す封止解除手段５Ｂは、支持ローラ４１とガイドローラ４２との間に位置して設けられ、受け板５８とで封止材Ｖを上下から挟持する挟持手段５５と、当該挟持手段５５に振動を与えて封止材Ｖを振動させる振動手段５６とを備える。すなわち、繰り出された原反Ｒの封止材Ｖが所定位置で一旦停止すると、封止解除手段５Ｂは、挟持手段５５に受け板５８とで封止材Ｖを挟持させ、振動手段５６を上下方向や左右方向といった適宜な方向に振動させることで、封止材Ｖに振動を与えて封止材Ｖを割ることで、封止材Ｖによる封止性を解除する。なお、本発明の振動手段としては、超音波や電磁波等を用いて封止材Ｖに間接的に振動を与える構成であればよい。
【００３１】
図４（Ｃ）に示す封止解除手段５Ｃは、支持ローラ４１とガイドローラ４２との間に位置して設けられ、封止材Ｖをコイルヒータ、赤外線ヒータ、マイクロ波等で加熱する加熱手段５７を備える。すなわち、繰り出された原反Ｒの封止材Ｖが所定位置で一旦停止すると、封止解除手段５Ｃは、加熱手段５７に封止材Ｖを加熱させて、封止材Ｖを溶融し、封止材Ｖの繋がりをなくすことで封止材Ｖによる封止性を解除する。
【００３２】
前記第１実施形態では、剥離板６によって剥離シートＲＬから剥離される接着シートＳを吸着盤３１で一旦保持し、吸着盤３１で保持した接着シートＳを被着体Ｗに押圧して貼付する押圧手段３を示したが、押圧手段としては、例えば、吸着盤３１で保持した接着シートＳを圧縮エアで吹き飛ばして被着体Ｗに貼付する所謂エアジェットタイプのものとしてもよい。また、前記第１実施形態では、直動モータ３２によって吸着盤３１を接着シートＳの繰り出し方向に移動させたが、直動モータ３２を採用することなく、吸着盤３１を折曲端縁６２の下流側（図１中二点鎖線で示す位置）に固定しておく構成としてもよい。
【００３３】
また、前記各実施形態の原反Ｒは、接着剤層ＡＤの繰出方向に直交する幅を基材シートＢＳのそれよりも狭幅に設定したことで、封止材Ｖが各接着シートＳの互いに対向する側の各端縁だけを被覆するように設けられていたが、封止材Ｖが各接着シートＳの全周を被覆するように設けられている場合であっても、封止解除手段５は、接着シートＳの少なくとも繰り出し方向先端側の封止材Ｖを除去できる構成とすればよい。
さらに、打撃手段５３、挟持手段５５および加熱手段５７もブラシローラ５２と同様、任意の位置に停止する封止材Ｖ上に位置できるように、移動可能に設けられるとよい。
前記各実施形態における駆動機器として、回動モータ、直動モータ、リニアモータ、単軸ロボット、多関節ロボット等の電動機器、エアシリンダ、油圧シリンダ、ロッドレスシリンダ及びロータリシリンダ等のアクチュエータ等を採用することができる上、それらを直接的又は間接的に組み合せたものを採用することもできる（実施形態で例示したものと重複するものもある）。
【００３４】
また、前記各実施形態では、被着体Ｗおよび接着シートＳを具体的に例示していないが、本発明における被着体Ｗおよび接着シートＳの種別や材質などは、特に限定されず、例えば、被着体Ｗが適宜な物品（例えば、段ボールケースや樹脂容器等）であって、接着シートＳがラベルであってもよく、被着体Ｗが半導体ウェハであって、接着シートＳが保護シート、ダイシングテープ、ダイアタッチフィルムなどであってもよい。この際、半導体ウェハは、シリコン半導体ウェハや化合物半導体ウェハ等が例示でき、このような半導体ウェハに貼付する接着シートは、保護シート、ダイシングテープ、ダイアタッチフィルムに限らず、その他の任意のシート、フィルム、テープ等、任意の用途、形状の接着シート等が適用できる。さらに、被着体Ｗが光ディスクの基板であって、接着シートＳが記録層を構成する樹脂層を有したものであってもよい。以上のように、被着体Ｗとしては、ガラス板、鋼板、樹脂板等や、その他の板状部材のみならず、任意の形態の部材や物品なども対象とすることができる。
【符号の説明】
【００３５】
１，１Ａ              シート貼付装置
２                    シート剥離装置
３                    押圧手段
４                    繰出手段
５，５Ａ，５Ｂ，５Ｃ  封止解除手段
６                    剥離板（剥離手段）
８                    押圧ローラ（押圧手段）
５２                  ブラシローラ（除去手段）
５３                  打撃手段
５６                  振動手段
５７                  加熱手段
ＡＤ                  接着剤層
ＢＳ                  基材シート
Ｒ                    原反
ＲＬ                  剥離シート
Ｓ                    接着シート
Ｖ                    封止材
Ｗ                    被着体
【図１】
0005562225.tif 000002
【図２】
0005562225.tif 000003
【図３】
0005562225.tif 000004
【図４】
0005562225.tif 000005